(57)【要約】      （修正有）【課題】マスクを装着したまま会食時等に、手動でマスクを開閉する作業が不要になるマスク開閉装置を提供する。【解決手段】マスク開閉装置は、着衣に固定するための胸元固定部３、マスク下部７を把持するマスク把持部１、胸元固定部３とマスク把持部１を連結し、マスク把持部１の位置を調整する自在アーム部２より構成され、マスクを装着したまま、マスクの下部７を把持し、把持する位置を固定する事により、飲食時の頭部の上下の動きでマスクのずり上げ、ずり下げを行い、飲食のための口回りを露出させる動作を自動的に行い、マスク会食を簡単に行うことができる。【選択図】図３
0003233824.tif 000002
【実用新案登録請求の範囲】
【請求項１】
本装置を着衣の胸元に固定する胸元固定部、マスク下部を把持し、頭部の上下動によりマスクをずり上げ下げするマスク把持部、胸元固定部とマスク把持部を連結し、使用時にマスク把持部の位置を調節し固定するための自在アーム部を有するマスク開閉装置
【請求項２】
マスク下部に把持されたマスク把持部が、マスクを把持した垂直状態から顔面の外側に回転し水平状態で止まるようストッパーを有するマスク開閉装置
【請求項３】
マスク開閉装置が飲食の邪魔にならないよう左右利き手に合わせ自在アームの向きが変えられるマスク開閉装置
【請求項４】
装置を携帯するため、胸元固定部と自在アーム部が取り外しできるマスク開閉装置
【請求項５】
本装置が、体格に合わせマスク把持部の位置を調整できるように、自在なアーム部を有するマスク開閉装置
【考案の詳細な説明】
【技術分野】
【０００１】  本考案は、会食時等に、マスクを装着したまま、手動でマスクを開閉する作業が不要になるマスク開閉装置に関するものである。
【背景技術】
【０００２】  感染症対策として、飲食時もマスク着用が推奨されている。実際マスクを着用して会食し、飲食時はマスクを外し、会話する際はマスクを付けるという作業は、感染症予防に有効とされている。【０００３】  感染症対策として、マスク会食が推奨されてはいるが、実際マスクを付けたり外したりの会食を完ぺきにこなすのは困難である。
【先行技術文献】
【特許文献】
【０００４】
【特許文献１】実登３２２９０８５
【考案の概要】
【考案が解決しようとする課題】
【０００５】  ここで特許文献１にこの問題を解決するためのマスクが考案されている。マスクの下部をめくり飲食し、手を離すと形状保持部の重さでマスクの下部が自動で元に戻るしくみである。こうすれば飲食する際はマスクをめくり、手を離せば元に戻るので、マスクを装着したまま会食できるので、マスクを付け外しする煩わしさは解消できるかもしれない。【０００６】  しかし特許文献１にあるマスクであっても、手動でマスクをめくる作業は必要で、飲食をしながら、また飛沫が飛び交う状態で、素手でマスクをめくる動作は、感染予防上好ましくなく、マスクが外側にめくられるため、飛沫を付着させやすいという問題もあった。【０００７】  本考案は、上述した技術が有する課題に鑑みなされたものであって、その目的として、手動でマスクを開閉する作業が不要になるマスク開閉装置を提供する事を目的とする。
【課題を解決するための手段】
【０００８】  本考案は、１から５の構成による。
１、  本装置を着衣の胸元に固定する胸元固定部、マスク下部を把持し、頭部の上下動によりマスクをずり上げ下げするマスク把持部、胸元固定部とマスク把持部を連結し、使用時にマスク把持部の位置を調節し固定するための自在アーム部を有するマスク開閉装置
２、  マスク下部に把持されたマスク把持部が、マスクを把持した垂直状態から顔面の外側に回転し水平状態で止まるようストッパーを有するマスク開閉装置
３、  マスク開閉装置が飲食の邪魔にならないよう左右利き手に合わせ自在アームの向きが変えられるマスク開閉装置
４、  装置を携帯するため、胸元固定部と自在アーム部が取り外しできるマスク開閉装置
５、  本装置が、体格に合わせマスク把持部の位置を調整できるように、自在なアーム部を有するマスク開閉装置
【考案の効果】
【０００９】本考案によれば、手を使わずに飲食をするために頭部を上下動する動作で、マスクを開閉する事ができる。
【図面の簡単な説明】
【００１０】
【図１】図１は、マスク開閉装置の概要を示した図である。
【図２】図２は、マスク開閉装置を装着し頭部を水平にした状態である。
【図３】図３は、マスク開閉装置を装着し飲食の為に頭部を下方に向けた状態を示した図である。
【図４】図４は、マスク把持部の説明図である。
【図５】図５は、胸元固定部の説明図である。
【考案を実施するための形態】
【００１１】  本考案は、一般の不織布マスクの下部を、マスクを装着した状態で、頭部の上下動に合わせてずり上げ下げを行うことができるマスク開閉装置である。
【実施例】
【００１２】  以下、本考案に係るマスク開閉装置の実施形態について、図面を参照して詳細に説明する。【００１３】図１は本装置の概要を示した図であり、本装置が着衣に固定するため必要な胸元固定部３、マスク下部７を把持しマスクをずり上げ下げを行うマスク把持部１、胸元固定部３とマスク把持部１を連結し、マスク把持部１が頭部が水平状態のときにマスク把持部１を固定する位置を調整する為の自在アーム部２で構成されている【００１４】  図２は、実際にマスク開閉装置を装着した状態である。マスク自体は市販の不織布マスク等で、マスクを装着した状態で本装置の胸元固定部３を胸元の着衣のシャツ等にはさみ固定する。【００１５】  胸元に固定された本装置は、自在アーム部２によりマスク把持部１が、頭部が自然にまっすぐ前を向いた状態でマスクの下部端７にマスク把持部１がマスク下端部７を把持し、８部が上を向く形で垂直状態になる位置になるよう調整し。本装置が装着される。【００１６】  図３は、本装置が稼働しマスクをずり上げる状態を示したものである。
図２により本装置が装着した状態で、飲食するため頭部が顎を引いた状態で下を向くと、マスク把持部１がマスク下部端７を把持した状態で顔面の外側にマスク把持部の８部を支点に９０度程度回転し、マスク下端部７をずり上げ、飲食の為の口回りが鼻下程度まで露出し飲食できるようになる。【００１７】  図２、図３の状態を繰り返すことにより、頭部が飲食の為下を向くとマスクがずり上がり、会話の為頭部を水平にするとマスクが戻り、手を使うことなく自動的にマスクが開閉される事になる。【００１８】  図４は、マスク把持部１の詳細図面である。２枚の板状のものが、１１を支点に稼働するように連結されており、ばねにより８部が閉じるようにテンションがかかっており９と４を手指でつかむと８部が開く構造になっており、マスク下部７を把持できるようになっている。【００１９】  マスク把持部１は、図のようにチューブ１０がありそのチューブ１０に自在アーム部の端部が挿入され、アーム端部とマスク把持部１は稼働するようになっている。【００２０】  またマスク把持部１は、チューブ１０の両側にマスク把持部１が移動しないようにストッパー１２、４がついており、ストッパー４は手指で取り外し可能で、形状が穴がある部分から片側に腕部が伸びており、マスク把持部１が回転するのを制御できるようになっており、マスク７を把持して回転する際マスクが裏返らないよう９０度以内で止める役割を果たす。【００２１】  図５は、胸元固定部３の詳細図面である。２枚の板状のものがＣ状のばね１３により連結されており、１６部側にテンションがかかっており、１４と１５を手指で挟むと１６部が開く構造になっており、開襟シャツ、Ｔシャツ等の胸元に挟み固定できる。【００２２】  中心部分には自在アーム部２の端部を固定するための穴６があり、穴６の直角側に貫通するねじ山が設けられており、ねじ５を締めることにより自在アーム部２を固定する事ができる。ねじ５を緩めることにより、自在アーム部２が取り外され、携帯しやすいようになる。【００２３】  また胸元固定部３には、両側に図のような穴１８が開いており、ハイネックな着衣で胸元に挟めない場合、安全ピン等で固定できるようになっている。
【産業上の利用可能性】
【００２４】  本考案のマスク開閉装置は、飲食産業における開発現場、調理現場の作業時の使用も想定される。
【符号の説明】
【００２５】  １  マスク把持部
２  自在アーム部
３  胸元固定部
【図１】
0003233824.tif 000003
【図２】
0003233824.tif 000004
【図３】
0003233824.tif 000005
【図４】
0003233824.tif 000006
【図５】
0003233824.tif 000007
【手続補正書】
【提出日】令和3年5月19日(2021.5.19)
【手続補正１】
【補正対象書類名】実用新案登録請求の範囲
【補正対象項目名】全文
【補正方法】変更
【補正の内容】
【実用新案登録請求の範囲】
【請求項１】
本装置を使用者の着衣の胸元に固定する胸元固定部、マスク下部を把持し、前記使用者の頭部の上下動によりマスクをずり上げ下げするマスク把持部、前記胸元固定部と前記マスク把持部を連結し、使用時に前記マスク把持部の位置を調節し固定するための自在アーム部を有するマスク開閉装置。
【請求項２】
前記マスク把持部が、前記マスク下部を把持した垂直状態から顔面の外側に回転し水平状態で止まるストッパーを有する請求項１に記載のマスク開閉装置。
【請求項３】
当該装置が飲食の邪魔にならないよう左右利き手に合わせて、前記自在アーム部の向きを使用者の右または左側に変えられる請求項１または請求項２に記載のマスク開閉装置。
【請求項４】
当該装置を携帯するため、前記胸元固定部と前記自在アーム部が脱着できる請求項１から請求項３に記載のマスク開閉装置。
【請求項５】
前記自在アーム部は、前記使用者の体格に合わせ前記マスク把持部の位置を調整できるように、前記胸元固定部と前記マスク把持部との距離を自在に変えられる請求項１から請求項４に記載のマスク開閉装置。
【手続補正２】
【補正対象書類名】明細書
【補正対象項目名】００１８
【補正方法】変更
【補正の内容】
【００１８】  図４は、マスク把持部１の詳細図面である。２枚の板状のものが、１１を支点に稼働するように連結されており、ねじりばね１９により８部が閉じるようにテンションがかかっており９と１７を手指でつかむと８部が開く構造になっており、マスク下部７を把持できるようになっている。
【手続補正３】
【補正対象書類名】図面
【補正対象項目名】全図
【補正方法】変更
【補正の内容】
【図１】
0003233824.tif 000008
【図２】
0003233824.tif 000009
【図３】
0003233824.tif 000010
【図４】
0003233824.tif 000011
【図５】
0003233824.tif 000012